(57)【要約】【課題】吐水ヘッド自体に吐水／止水を切り替える操作部を設けるという構造であって、吐水ヘッドの位置に関わらず該操作部への入力により吐水／止水の切替が確実に行われる構造とする。【解決手段】吐水ヘッド３へ水を供給する流路を開放または閉止する開閉弁と、該開閉弁を通過した水を吐水ヘッド３まで導く流路を内部に有する可撓性のホース５と、当該吐水ヘッド３からの吐水と止水とを切り替えるために使用者が操作を行う切替スイッチ６と、該切替スイッチ６の操作に伴って進退することで開閉弁を開閉動作させるワイヤ７と、吐水ヘッド３を着脱自在に支持し、ホース５およびワイヤ７のそれぞれを挿通させる挿通部２１をその内部に有する支持部材２と、を備える。ワイヤ７は、開閉弁から切替スイッチ６にかけてホース５に沿って延び、ホース５とともに同方向に屈曲したときの反力を、当該ホース５から受けるよう構成されている。【選択図】図３
2013076212.tif 000002
【特許請求の範囲】
【請求項１】
カウンターの上方で固定される支持部材と、該支持部材に着脱自在に支持されて水を吐出する吐水ヘッドとを有する水栓装置において、
前記カウンターの下方に設けられ、前記吐水ヘッドへ水を供給する流路を開放または閉止する開閉弁と、
該開閉弁を通過した水を前記吐水ヘッドまで導く流路を内部に有する可撓性のホースと、
前記吐水ヘッドに設けられ、当該吐水ヘッドからの吐水と止水とを切り替えるために使用者が操作を行う切替スイッチと、
該切替スイッチの操作に伴って進退することで前記開閉弁を開閉動作させるワイヤと、
前記吐水ヘッドを着脱自在に支持し、前記ホースおよび前記ワイヤのそれぞれを挿通させる挿通部をその内部に有する前記支持部材と、
を備え、
前記ワイヤは、前記開閉弁から前記切替スイッチにかけて前記ホースに沿って延び、前記ホースとともに同方向に屈曲したときの反力を、当該ホースから受けるよう構成されていることを特徴とする水栓装置。
【請求項２】
前記ワイヤは、前記ホースの使用者側の面よりも奥側に配置されていることを特徴とする請求項１に記載の水栓装置。
【請求項３】
前記ワイヤは、前記ホースの内部の流路に配置されていることを特徴とする請求項２に記載の水栓装置。
【発明の詳細な説明】
【技術分野】
【０００１】
本発明は、操作部に対する操作により開閉弁を開閉する水栓装置に関する。
【背景技術】
【０００２】
吐水ヘッドを使用者の所望の位置まで引き出して使えるようにするべく、吐水ヘッドに可撓性を有するホースを接続するとともに、吐水ヘッドを支持部材に着脱自在に取り付けた構造の水栓装置が利用されている。
【０００３】
このような水栓装置には、開閉弁を開閉させて吐水／止水を切り替えるための操作部（切替スイッチ）が備え付けられている。従来、操作部としては、支持部材に設けられた操作部の押圧操作によってワイヤを介してカウンターの下方に設けられた開閉弁の開閉を行うものが提案されている（例えば特許文献１参照）。
【０００４】
また、操作部での操作入力を開閉弁まで確実に伝達して吐水／止水を切り替えるという観点から、例えば操作部から開閉弁の背圧室までチューブを連通させておき、操作部への押圧操作によってチューブの端部を開閉させ、それによって開閉弁の背圧室の圧力を変化させるようにした水栓装置も提案されている（例えば特許文献２参照）。ただし、チューブを利用したこのような水栓装置は、高い耐圧性能が要求されることから構造や材質に制限が加わり、装置が複雑化・大型化する傾向がある。
【０００５】
上述のようなチューブを利用した水栓装置以外としては、例えば操作部での操作入力を電気信号に変換して開閉弁に伝達するという水栓装置も考えられる。ただし、電気式とすれば電源や配線アクチュエータなどが必要となるため、やはり構造が複雑化しやすく、コスト高となりやすい。
【０００６】
これらチューブや電気信号を利用した水栓装置と比べると、上述のようにワイヤを利用して開閉弁の開閉を行うようにした水栓装置は、チューブに高い耐圧性などが求められるといったことはなく、尚かつ電気信号を利用するための電源などが必要となることもないといった点で有利である。
【先行技術文献】
【特許文献】
【０００７】
【特許文献１】特開２００６−８８６３５号公報
【特許文献２】特開２００１−９５７０９号公報
【発明の概要】
【発明が解決しようとする課題】
【０００８】
例えば特許文献１に記載のごとき従来の水栓装置では、吐水ヘッドを片手で掴んで所望位置に移動させる際、同時に吐水／止水を切り替えるには、もう片方の手で支持部材に設けられた操作部を操作することが必要となる。この点、上述のようなワイヤを利用する水栓装置では、使用者が所望の位置に移動させることが可能な吐水ヘッド自体に操作部を設け、該操作部に対する操作入力をワイヤで開閉弁に伝達する構造とすることにより、片手での吐水ヘッドの移動と吐水／止水の切替操作を可能にして利便性を向上させることができると考えられる。
【０００９】
しかしながら、使用者が所望の位置に移動させることが可能な吐水ヘッド自体に吐水／止水を切り替える操作部を設けると、操作部から延びるワイヤも吐水ヘッドとともに移動することから、吐水ヘッドの位置によってはワイヤに折れや捩れ（キンク）等が生じ操作部への操作入力を開閉弁まで伝達できなくなり、開閉弁の開閉動作を正しく行えなくなる。
【００１０】
本発明はこのような課題に鑑みてなされたものであり、その目的は、吐水ヘッド自体に吐水／止水を切り替える操作部を設けるという構造であって、吐水ヘッドの位置に関わらず該操作部への入力により吐水／止水の切替が確実に行われるようにした水栓装置を提供することにある。
【課題を解決するための手段】
【００１１】
本発明は、カウンターの上方で固定される支持部材と、該支持部材に着脱自在に支持されて水を吐出する吐水ヘッドとを有する水栓装置において、カウンターの下方に設けられ、吐水ヘッドへ水を供給する流路を開放または閉止する開閉弁と、該開閉弁を通過した水を吐水ヘッドまで導く流路を内部に有する可撓性のホースと、吐水ヘッドに設けられ、当該吐水ヘッドからの吐水と止水とを切り替えるために使用者が操作を行う切替スイッチと、該切替スイッチの操作に伴って進退することで開閉弁を開閉動作させるワイヤと、吐水ヘッドを着脱自在に支持し、ホースおよびワイヤのそれぞれを挿通させる挿通部をその内部に有する支持部材と、を備え、ワイヤは、開閉弁から切替スイッチにかけてホースに沿って延び、ホースとともに同方向に屈曲したときの反力を、当該ホースから受けるよう構成されていることを特徴としている。
【００１２】
本発明によれば、まず、切替スイッチを吐水ヘッドに設け、切替スイッチの操作によって進退するワイヤで開閉弁を開閉動作させることで、吐水／止水を切り替えるための操作を吐水ヘッドの位置において行うことが可能であり、利便性の高い水栓を提供することができる。
【００１３】
一方で、切替スイッチを吐水ヘッドに設けたことで、使用者が吐水ヘッドを移動させる際にワイヤに折れや捩れが生じ、切替スイッチにおいて操作を行ってもワイヤがスムーズに進退できず、開閉弁を使用者の所望のとおりに開閉できなくなるというおそれ、特に、支持部材の挿通部を挿通して、カウンター下方の開閉弁を開閉させる場合、支持部材近傍においてワイヤの折れが生じやすくなるおそれがある点に関して、本発明は以下のような特徴を備えることで対処している。すなわち、本発明では、ワイヤを開閉弁から切替スイッチにかけてホースに沿って延びるようにし、ホースとともに同方向に屈曲したときの反力を、ホースから受けるよう構成している。これにより、ワイヤを屈曲させようとする外力が作用しても、ホースがワイヤに及ぼす反力により、このような外力に起因した折れや捩れが軽減される。したがって、ワイヤのスムーズな進退を確保し、開閉弁を確実に開閉させることができる。
【００１４】
かかる水栓装置において、ワイヤは、ホースの使用者側の面よりも奥側に配置されたものであることが好ましい。このような水栓装置によると、使用者が吐水ヘッドを手前側に引き出したとき、支持部材の挿通部とホースとの間にワイヤが挟まれ、ワイヤの進退に支障をきたす不具合の発生を抑制し、開閉弁を確実に開閉させることができる。
【００１５】
また、ワイヤは、ホースの内部の流路に配置されたものであることがさらに好ましい。こうした場合、簡易な構成によって、ホースの反力をワイヤに及ぼしつつ、ワイヤがホースと開口との間に挟まれる不具合を抑制するとともに、ホース周りへのワイヤの絡まりを防止することができる。
【発明の効果】
【００１６】
本発明によれば、吐水ヘッド自体に吐水／止水を切り替える操作部を設けるという構造であって、吐水ヘッドの位置に関わらず該操作部への入力により吐水／止水の切替が確実に行われるようにした水栓装置を提供することができる。
【図面の簡単な説明】
【００１７】
【図１】本発明に係る水栓装置の一実施形態を示す全体図である。
【図２】吐水ヘッド収納時における水栓装置の構造例を示す断面図である。
【図３】支持部材から吐水ヘッドを引き出した状態の水栓装置の断面図である。
【図４】止水状態における吐水ヘッドの断面図である。
【図５】吐水状態における吐水ヘッドの断面図である。
【図６】止水状態における開閉弁ユニットの断面図である。
【図７】吐水状態における開閉弁ユニットの断面図である。
【図８】使用者からみて手前方向下側に吐水ヘッドを移動させた際にワイヤに作用する力を説明する図である。
【図９】使用者からみて奥側に吐水ヘッドを移動させた際にワイヤに作用する力を説明する図である。
【図１０】ホースの使用者側の面よりも奥側にワイヤが配置された水栓装置の一例を示す側面図である。
【図１１】ホースの被覆内にワイヤを挿通させた水栓装置の吐水ヘッドの縦断面図である。
【図１２】図１１のXII-XII線におけるホース等の横断面図である。
【図１３】ワイヤがホースの内部の流路以外の箇所であって該ホースの使用者側の面よりも手前側に設置されている水栓装置を示す図である。
【発明を実施するための形態】
【００１８】
以下、本発明の構成を図面に示す実施の形態の一例に基づいて詳細に説明する。
【００１９】
図１〜図１０に本発明にかかる水栓装置１の実施形態を示す。本実施形態の水栓装置１は、支持部材２、吐水ヘッド３、主弁体（開閉弁）４、ホース５、切替スイッチ６、ワイヤ７等を備えている。
【００２０】
支持部材２は、水栓装置１の吐水ヘッド３を着脱自在に支持している。この支持部材２は、カウンター８上に設けられた台座１１に取り付けられている（図１参照）。台座１１には、吐水流量や吐水温度の調節を行うためのハンドルレバー１３が設けられている。本実施形態の支持部材２は、ホース５およびワイヤ７のそれぞれを挿通させる挿通部２１をその内部に有している（図３等参照）。
【００２１】
カウンター８は、水回りの台やテーブル天板など、水栓装置１が設置されうる箇所全般を表すものとして用いられている。例えば本実施形態ではキッチンのシンク１２の奥側（使用者からみて遠い側）の天板部がカウンター８に該当する場合を例示しているが（図１参照）、これはあくまでも一例にすぎず、この他、洗面化粧台のボウル周りの台状部分なども本明細書でいうカウンター８に該当しうる。
【００２２】
吐水ヘッド３は、支持部材２に着脱自在に支持されており、吐水口３３から水を吐出する。この吐水ヘッド３には可撓性のホース５が接続されており、支持部材２によって支持された状態（収納状態）の当該吐水ヘッド３を使用者が引き出し、一例としてキッチンのシンク１２において所望の位置や角度で水を吐出させることができるようになっている（図８等参照）。例えば本実施形態の吐水ヘッド３は、ヘッド本体３１、該ヘッド本体３１を覆うヘッドカバー３２などで構成されている（図２、図３参照）。吐水口３３には、吐水の流れを整える整流部材３４が取り付けられている。また、吐水ヘッド３の一部（例えば収納状態の吐水ヘッド３の上端部）には切替スイッチ６が設けられている。
【００２３】
主弁体４は、吐水ヘッド３へ水を供給する流路を開放または閉止するための開閉弁ユニット４０を構成している弁で、本実施形態の場合にはカウンター８の下方に設けられている（図１参照）。開閉弁ユニット４０は、後述するように流体（水）の流れが生じさせる背圧を利用して主弁体４を開閉させるものであり（図６、図７参照）、給水管１５および給湯管１６と接続され、さらに流路１７を介してホース５の流路５０と接続されている（図１参照）。本実施形態では、主弁体４としてダイヤフラム弁を利用している。
【００２４】
ホース５は、主弁体４を通過した水を吐水ヘッド３まで導く流路５０を内部に有する可撓性の管状部材である（図３等参照）。吐水ヘッド３を支持部材２によって支持した状態（収納状態）のとき、ホース５は支持部材２および台座１１内に収容された状態となる（図２参照）。本実施形態のホース５は、第一ホース継手５１、第二ホース継手５２、かしめ部材５３、さらにフランジ部材５４を介してその一端がヘッド本体３１に接続されている（図４、図５参照）。
【００２５】
切替スイッチ６は、吐水ヘッド３からの吐水／止水を切り替えるために使用者が操作する操作入力部を構成している。この切替スイッチ６は、吐水ヘッド３の一部（例えば収納状態の吐水ヘッド３の上端部）に設けられている。このため、使用者は吐水と止水とを切り替えるための操作を、吐水ヘッド３を掴んでいる手で行うことが可能であり、利便性が高い。このような切替スイッチ６として、本実施形態ではスラストロック機構を備えたものを用いている（図２、図３参照）。
【００２６】
切替スイッチ６に用いられているスラストロック機構６２は、浴槽の排水栓装置やボールペンなどで利用されているように、切替スイッチ６の支持軸６１の進退を繰り返した場合に、進退経路の一端側で支持軸６１をロックした状態と、次にこのロックを解除した状態とを交互に繰り返すように動作するものである。本実施形態の切替スイッチ６およびスラストロック機構６２は、止水状態（吐水口３３から水を吐出しない状態、図４参照）から切替スイッチ６を一回押し込むと、ワイヤ７を所定量引き込むことによって吐水状態（吐水口３３から水を吐出させる状態）とし、スラストロック機構６２によってこの吐水状態でロックするように構成されている（図５参照）。ここではスラストロック機構６２自体の詳細までは説明しないが、構成の概略を一例として示しておくと、遠隔操作する方式、ダイレクトプッシュするような直接的に操作する方式のいずれも、基本的には、支持軸６１に固定した固定歯と、その固定歯と直列状に回転可能、尚かつ軸方向に摺動可能に連設した回転歯と、メカボックス内に設けた係止歯とを備えており、支持軸６１の上下動の一端側で固定歯との係合により回転歯が回転し、その回転毎に係止歯に対して係脱を繰り返すことで、ワイヤ７を進退させた状態（送り込んだ状態と、引っ張り込んだ状態）を維持する。
【００２７】
ワイヤ７は、切替スイッチ６の操作に伴って進退し、主弁体４を開閉動作させる操作入力伝達手段として機能する。本実施形態では、アウターチューブ７１内に進退自在に挿通したスパイラル状のメタル製インナーワイヤをこのワイヤ７として用いている（図２等参照）。ワイヤ７の一端は、上述したスラストロック機構６２の可動部に接続されている（図２、図３参照）。また、ワイヤ７の他端は、開閉弁ユニット４０を構成するパイロットプラグ９０のワイヤガイド９３に接続されている（図６、図７参照）。
【００２８】
アウターチューブ７１は、内部にワイヤ７を進退自在に挿通するための筒状部材であり、一例として４フッ化エチレン材から成る樹脂材で構成されて側方への可撓性を有している。アウターチューブ７１の一端は、鍔状に外側方向に突出した鍔部７１ａを介して吐水ヘッド３のヘッド本体３１に接続されている（図４、図５参照）。また、アウターチューブ７１の他端は、外周面に雄ねじが設けられた金属材からなるアウターエンド７１ｂを介してパイロットプラグ９０のプラグ本体９１に接続されている（図６、図７参照）。
【００２９】
上述した開閉弁ユニット４０は、開閉弁（主弁体）４の他、蓋体４１、主弁座４２、パイロット流路４３、そしてパイロットプラグ９０などで構成されている。上述したカウンター８内には、水供給源と接続された流路１７を有する流路本体１４が設置されており、主弁体４は、この流路本体１４中の主弁座４２に対して接近離反することによって流路１７を開閉するように設置されている（図６、図７参照）。この主弁体４の背面には背圧室４４となるスペースが形成されており、背圧の大きさに応じて主弁体４が主弁座４２に対して接近離反するようになっている。パイロット流路４３は、パイロットプラグ９０内のパイロット室９７とこの背圧室４４とを連通させている。
【００３０】
パイロットプラグ９０は、流路本体１４の端部開口に取り付けられて開閉弁ユニット４０を構成する（図６、図７参照）。本実施形態のパイロットプラグ９０は、プラグ本体９１、バイアスばね９２、ワイヤガイド９３、パイロット弁体９４、パイロット弁座９５、パイロット孔９６などを備えている。パイロット弁体９４はパイロット室９７をストロークするバルブで、止水時にはパイロット弁座９５に密着してパイロット孔９６を閉じた状態となっている（図６参照）。また、パイロット弁体９４はワイヤガイド９３と接続されており、ワイヤ７が引っ張り込まれまたは送り込まれると該ワイヤ７やワイヤガイド９３と同量ストロークする。プラグ本体９１内に設けられたバイアスばね９２は、ワイヤガイド９３を介してワイヤ７を押し戻すように（パイロット弁体９４をパイロット孔９６から遠ざける方向に）付勢している。
【００３１】
切替スイッチ６の操作に伴う開閉弁ユニット４０での動作について簡単に説明すれば以下のとおりである。まず、止水時においては、パイロットプラグ９０のパイロット弁体９４がパイロット弁座９５に着座した状態となっており、パイロット孔９６が閉じられている。また、開閉弁（主弁体）４は主弁座４２に着座した状態となっている。このため、水の流路１７（流路本体１４内の流路１７ａおよびパイロット弁体９１内の流路１７ｂを含む）とパイロット流路４３とは分断された状態となっている（図６参照）。このとき、背圧室４４における背圧の作用（流路１７と背圧室４４の差圧による作用）により、主弁体４は主弁座４２に着座した状態に保持され、止水状態に保たれる。
【００３２】
ここで、止水状態の吐水ヘッド３（図４参照）の切替スイッチ６を押圧操作すると、ワイヤ７が所定量引き込まれ、スラストロック機構６２によってその状態にロックされる（図５参照）。この動作に伴い、パイロット弁座９５への着座状態にあったパイロット弁体９４が引かれ、パイロット孔９６が開いて、水の流路１７とパイロット流路４３とが連通した状態となる。そうすると、背圧室４４における背圧が減少し、主弁体４が後退して開弁状態となる。この結果、水が流路本体１４等を通る流路１７からホース５内の流路５０を通過して吐水ヘッド３の吐水口３３まで供給される吐水状態となる。この吐水状態において切替スイッチ６をもう一度操作すると、ワイヤ７が所定量送り込まれ、パイロット孔９６が閉じ、主弁体４が閉じて止水状態に戻る（図４参照）。
【００３３】
上述したように、ワイヤ７は、吐水ヘッド３の切替スイッチ６における操作入力を、このような開閉弁ユニット４０を構成するパイロット弁体９４に伝達し、当該パイロット弁体９４の動きを介して主弁体４を開閉させる。ここで、本実施形態では、このように切替スイッチ６の操作によって進退して開閉弁を開閉するワイヤ７を、主弁体４から吐水ヘッド３の切替スイッチ６にかけてホース５に沿って延び、該ホース５とともに同方向に屈曲したときの反力をホース５から受けるよう、当該ホース５内に配置することとしている（図３等参照）。このような構成の特徴点は以下のとおりである。
【００３４】
すなわち、切替スイッチ６を吐水ヘッド３に設けた本実施形態のごとき水栓装置１においては、使用者が吐水ヘッド３を移動させる際、切替スイッチ６への操作入力を主弁体４（開閉弁ユニット４０）に伝達するワイヤ７に折れや捩れが生じ、切替スイッチ６において操作を行ってもワイヤ７がスムーズに進退できず、主弁体４を使用者の所望のとおりに開閉できなくなるといったおそれがあるが、本実施形態ではワイヤ７を主弁体４から切替スイッチ６にかけてホース５に沿って延びるようにし、ホース５とともに同方向に屈曲したときの反力を、ホース５から受けるようにしている。
【００３５】
例を挙げて説明すれば、支持部材２から引き出した吐水ヘッド３を使用者が手前方向下側に移動させれば、ワイヤ７にこの方向への曲げ応力が生じる（図８参照）。このとき、仮に、ワイヤ７とホース５とが何ら関わりなく別々に設置されているなどしていれば、ワイヤ７とホース５とは別々に屈曲することから、ワイヤ７に局所的な曲げ応力が作用するなどし、ワイヤ７のスムーズな進退が妨げられるおそれがある。この点、本実施形態ではワイヤ７を主弁体４から切替スイッチ６にかけてホース５に沿って延びるようにし、屈曲時にホース５が生じさせる反力（図８の矢印参照）をワイヤ７にも及ぼすことにより、全体としての曲げ剛性を向上させ、外力に起因してワイヤ７に生じる折れや捩れを軽減させている（図１０参照）。
【００３６】
以上は、支持部材２から引き出した吐水ヘッド３を使用者が奥側へ移動させた場合も同様である（図９参照）。この場合、ワイヤ７およびホース５に対して奥方向への曲げ応力が生じるが、本実施形態の水栓装置１においては、屈曲時にホース５が生じさせる反力（図９の矢印参照）をワイヤ７にも及ぼすことにより、全体としての曲げ剛性が向上し、ワイヤ７に生じる折れや捩れが軽減する（図１０参照）。このように、本実施形態の水栓装置１によれば、吐水ヘッド３の位置や向きに応じてワイヤ７に折れや捩れが生じやすい状況となってもワイヤ７のスムーズな進退を確保し、主弁体４を確実に開閉させることが可能である。
【００３７】
また、本実施形態では水栓装置１の好適な構成例として、ワイヤ７をホース５の使用者側の面よりも奥側に配置した場合を示している（図１０等参照）。こうすることにより、使用者が吐水ヘッド３を手前側に引き出し、あるいは手前側から支持部材２に戻そうとしたとき、支持部材２の開口（挿通部２１の開口部分）とホース５との間にワイヤ７が挟まれ、ワイヤ７の進退に支障をきたすといった不具合が発生するのを抑制し、主弁体４の確実な開閉動作をより実現しやすい。もちろん、このような不具合の発生が抑制されるならば、ワイヤ７をホース５の使用者側の面よりも手前側に配置することもできる（図１３参照）。
【００３８】
あるいは、図８等に示しているように、ワイヤ７をホース５の内部の流路５０に配置することも好ましい。このような水栓装置１によれば、ワイヤ７をホース５に内蔵するという比較的簡易な構成でありながらも、ホース５の反力をワイヤ７に及ぼしつつ、ワイヤ７がホース５と支持部材２の開口（挿通部２１の開口部分）との間に挟まれるといった不具合が抑制される。また、こうすることで、使用者が吐水ヘッド３を手前側に引き出し、あるいは手前側から支持部材２に戻そうとしたとき、ホース５周りへワイヤ７が絡まることも抑制される。もちろん、このような不具合の発生が抑制されるならば、ワイヤ７をホース５の内部の流路５０以外の箇所へ配置することもできる（図１３参照）。
【００３９】
なお、上述の実施形態は本発明の好適な実施の一例ではあるがこれに限定されるものではなく本発明の要旨を逸脱しない範囲において種々変形実施可能である。例えば、上述した実施形態ではワイヤ７をホース５の内部の流路５０に配置した場合を例示したが（図８等参照）、このほか、ホース５の被覆内にワイヤ７を挿通させるようにすることもできる（図１１、図１２参照）。この場合は、ホースの被覆がワイヤ７のアウターチューブ７１のように機能することとなる。要は、ワイヤ７を主弁体４から切替スイッチ６にかけてホース５に沿って延びるように配置することができればその具体的態様は特に限定されず、このように配置することより、ホース５とともにワイヤ７が屈曲したときの反力をホース５から受けるようにし、外力に起因してワイヤ７に生じる折れや捩れを軽減させることができる。
【００４０】
また、上述した実施形態では、切替スイッチ６の具体例として、押圧操作され、スラストロック機構６２と連動して進退動作を繰り返す構造のスイッチを例示したがこれも好適例にすぎず、この他、例えば左右方向あるいは上下方向に倒れるレバーなどを切替スイッチ６として用いてもよい。要は、スイッチを操作することによってワイヤ７を所定量進退させて主弁体４を開閉することができる切替スイッチであれば、その具体的な構成が特に限定されることはない。
【符号の説明】
【００４１】
１：水栓装置
２：支持部材
３：吐水ヘッド
４：主弁体（開閉弁）
５：ホース
６：切替スイッチ
７：ワイヤ
８：カウンター
２１：挿通部
５０：（ホース内部の）流路
【図１】
2013076212.tif 000003
【図２】
2013076212.tif 000004
【図３】
2013076212.tif 000005
【図４】
2013076212.tif 000006
【図５】
2013076212.tif 000007
【図６】
2013076212.tif 000008
【図７】
2013076212.tif 000009
【図８】
2013076212.tif 000010
【図９】
2013076212.tif 000011
【図１０】
2013076212.tif 000012
【図１１】
2013076212.tif 000013
【図１２】
2013076212.tif 000014
【図１３】
2013076212.tif 000015